(57)【要約】【課題】レーザー光を照射する対象の組織部位に対してレーザーファイバー先端をより正確に位置決めすることができるＰＬＤＤ用レーザーファイバー保持具の提供。【解決手段】ＰＬＤＤ用レーザーファイバー保持具１０１は、レーザーファイバー６０を挿通させるための挿通孔１３０ａが軸方向に形成され、挿通孔１３０ａの途中に空間が形成された本体部１３０と、該空間内に設けられ、レーザーファイバー６０を挿通させるための弾性孔１４０ａが形成された弾性部材１４０とを備える。弾性部材１４０は、レーザーファイバー６０が相対移動可能である第一形態から、弾性部材１４０の圧縮にともない弾性孔１４０ａが縮小してレーザーファイバー６０を挟み込むことにより相対移動不能に保持する第二形態へ変形可能である。【選択図】図６
0003180073.tif 000002
【実用新案登録請求の範囲】
【請求項１】
レーザーファイバーを挿通させるための挿通孔が軸方向に形成され、該挿通孔の途中に空間が形成された本体部と、
該空間内に設けられ、該レーザーファイバーを挿通させるための弾性孔が形成された弾性部材とを備え、
該弾性部材は、少なくとも、該レーザーファイバーが相対移動可能である第一形態から、該弾性部材の圧縮にともない該弾性孔が縮小して該レーザーファイバーを挟み込むことにより相対移動不能に保持する第二形態へ変形可能であることを特徴とするＰＬＤＤ用レーザーファイバー保持具。
【請求項２】
該本体部は、塑性変形を行う材料で形成された略円筒状の部材であり、
該本体部の円周面を外側から径方向にかしめることにより該空間が縮小されて、該弾性部材が該第一形態から該第二形態へ変形するように構成されていることを特徴とする請求項１記載のＰＬＤＤ用レーザーファイバー保持具。
【請求項３】
該本体部には、ネジを取り付けるためのネジ穴が形成されており、
該ネジ穴は、該ネジを一方向に回転させると該ネジが径方向内側へ進み、該ネジを反対方向に回転させると該ネジが径方向外側へ戻るように構成されており、もって、該ネジを該一方向に回転させると該ネジが径方向内側へ進んで該弾性部材を圧縮し、該ネジを該反対方向に回転させると該ネジが径方向外側へ戻って該弾性部材が膨張するように構成されていることを特徴とする請求項１記載のＰＬＤＤ用レーザーファイバー保持具。
【請求項４】
該本体部は、略円筒状の部材であり、
つまみ部と弾性を有するリング部とを含むクリップバンドを更に備え、
該クリップバンドを該本体部の外周に装着した際に、該リング部の弾性によって該本体部及び該弾性部材が圧縮されるように構成されていることを特徴とする請求項１記載のＰＬＤＤ用レーザーファイバー保持具。
【考案の詳細な説明】
【技術分野】
【０００１】
本考案は、椎間板ヘルニア等の対象部位にレーザー光を照射して治療を行うためのレーザーファイバーを保持するためのＰＬＤＤ用レーザーファイバー保持具に関する。
【背景技術】
【０００２】
椎間板ヘルニアの治療方法として、対象部位である髄核に対してレーザー光を照射し、髄核の減圧を行う経皮的髄核減圧術（ＰＬＤＤ：Percutaneous Laser Disc Decompression)が知られている。ＰＬＤＤ法とは、簡単に説明すると、ニードル部材を髄核内に穿刺し、そのニードル部材内にレーザーファイバー（光ファイバー）を挿入した状態で、該レーザーファイバー先端からレーザー光を髄核に照射して髄核の蒸散を行わせ、発生したガスを体外に放出させることにより、患者の腰部における疼痛を取り除くものである。このＰＬＤＤ法において用いられる処置装置が、特許文献１及び２に開示されている。
【先行技術文献】
【特許文献】
【０００３】
【特許文献１】特開平９−１７３３４５号公報
【特許文献２】特開平１１−１５１２４７号公報
【考案の概要】
【考案が解決しようとする課題】
【０００４】
ＰＬＤＤ法において、効果的な治療のためには、レーザーファイバーの先端を対象部位に正確に位置させることが重要である。しかしながら、上掲した特許文献に開示される装置においては、レーザーファイバーがホルダー（保持具）と一体的つまり固定的に保持されているため、ホルダーとレーザーファイバー先端との長さ（距離）を調整することが困難であった。このため、対象部位にレーザーファイバー先端を正確に位置させるのが難しい場合があった。
【０００５】
そこで本考案は、レーザーファイバー先端と保持具との距離を微調整して固定することにより、レーザー光を照射する対象の組織部位に対してレーザーファイバー先端をより正確に位置決めすることができるＰＬＤＤ用レーザーファイバー保持具を提供することを目的とする。
【課題を解決するための手段】
【０００６】
上記目的を達成するために、本考案は、レーザーファイバーを挿通させるための挿通孔が軸方向に形成され、該挿通孔の途中に空間が形成された本体部と、該空間内に設けられ、該レーザーファイバーを挿通させるための弾性孔が形成された弾性部材とを備え、該弾性部材は、少なくとも、該レーザーファイバーが相対移動可能である第一形態から、該弾性部材の圧縮にともない該弾性孔が縮小して該レーザーファイバーを挟み込むことにより相対移動不能に保持する第二形態へ変形可能であるＰＬＤＤ用レーザーファイバー保持具を提供している。
【０００７】
ここで、該本体部は、塑性変形を行う材料で形成された略円筒状の部材であり、該本体部の円周面を外側から径方向にかしめることにより該空間が縮小されて、該弾性部材が該第一形態から該第二形態へ変形するように構成されているのが好ましい。
【０００８】
また、該本体部には、ネジを取り付けるためのネジ穴が形成されており、該ネジ穴は、該ネジを一方向に回転させると径方向内側へ進み、反対方向に回転させると径方向外側へ戻るように構成されており、もって、該ネジを該一方向に回転させると径方向内側へ該ネジが進んで該弾性部材を圧縮し、該ネジを該反対方向に回転させると径方向外側へ該ネジが戻って該弾性部材が膨張するのが好ましい。
【０００９】
また、該本体部は、略円筒状の部材であり、つまみ部及びリング部を有するクリップバンドを更に備え、該リング部は弾性を有し、該クリップバンドを該本体部の外周に装着した際に、該リング部の弾性によって該弾性部材が圧縮されるように構成されているのが好ましい。
【考案の効果】
【００１０】
請求項１記載のＰＬＤＤ用レーザーファイバー保持具によれば、弾性部材は、少なくとも、レーザーファイバーが相対移動可能である第一形態から、弾性部材の圧縮にともない弾性孔が縮小してレーザーファイバーを挟み込むことにより相対移動不能に保持する第二形態へ変形可能である。よって、弾性部材が第一形態にある状態でレーザーファイバー先端と保持具との距離を微調整した後、弾性部材が第二形態にある状態でレーザーファイバーと保持具とを固定することができる。従って、レーザーファイバーがニードル部材から突出する長さを微調整できるため、レーザー光を照射する組織部位に対して、レーザーファイバー先端をより正確に位置決めすることができる。
【００１１】
請求項２記載のＰＬＤＤ用レーザーファイバー保持具によれば、塑性変形を行う本体部の円周面を外側から径方向にかしめることにより空間が縮小されるように構成されているため、簡素な構成でレーザーファイバーの位置決めを行うことができる。
【００１２】
請求項３記載のＰＬＤＤ用レーザーファイバー保持具によれば、ネジを用いて弾性部材を圧縮するため、ネジを反対方向に回すことにより弾性部材を再び膨張させて、レーザーファイバーに対するレーザーファイバー保持具の位置を再調整することが可能である。
【００１３】
請求項４記載のＰＬＤＤ用レーザーファイバー保持具によれば、クリップバンドを用いて弾性部材を圧縮するため、クリップバンドのリング部の内径を拡大させることにより弾性部材を再び膨張させて、レーザーファイバーに対するレーザーファイバー保持具の位置を再調整することが可能である。
【図面の簡単な説明】
【００１４】
【図１】本考案の第一実施形態によるＰＬＤＤ用レーザーファイバー保持具をレーザーファイバーに取り付けた状態を示す側面図。
【図２】第一実施形態によるＰＬＤＤ用レーザーファイバー保持具（移動可能状態）を示す断面図。
【図３】第一実施形態によるＰＬＤＤ用レーザーファイバー保持具（固定状態）を示す断面図。
【図４】第一実施形態によるＰＬＤＤ用レーザーファイバー保持具の弾性部材を示す斜視図。
【図５】第一実施形態によるＰＬＤＤ用レーザーファイバー保持具の使用状態を示す概略図。
【図６】本考案の第二実施形態によるＰＬＤＤ用レーザーファイバー保持具にレーザーファイバーを挿通させた状態を示す斜視図。
【図７】本考案の第三実施形態によるＰＬＤＤ用レーザーファイバー保持具にレーザーファイバーを挿通させた状態を示す斜視図。
【図８】本考案の第四実施形態によるＰＬＤＤ用レーザーファイバー保持具にレーザーファイバーを挿通させた状態を示す斜視図。
【考案を実施するための形態】
【００１５】
＜第一実施形態＞
本考案の第一実施形態によるＰＬＤＤ用レーザーファイバー保持具について図１乃至図５に基づき説明する。
【００１６】
図１に、第一実施形態によるＰＬＤＤ用レーザーファイバー保持具１の外観を示す。レーザーファイバー保持具１は、第一本体部１０及び第二本体部２０からなる本体部３０を備える。第一本体部１０及び第二本体部２０は、それぞれ、概略円筒形状を有し、例えば樹脂製の別体（別部材）として形成されている。第一本体部１０及び第二本体部２０には、レーザーファイバー６０を挿通させるための挿通孔１０ａ，２０ａ（図２，３）が軸方向に形成されている。なお、後述のようにレーザーファイバー保持具１は移動可能状態及び固定状態をとることが可能であるが、図１は固定状態を示す。
【００１７】
図２及び図３は、レーザーファイバー保持具１の中心軸を通る断面で切った断面図であり、それぞれ移動可能状態及び固定状態を示す。レーザーファイバー保持具１は更に、弾性部材４０（変形部材の一例）とワッシャ部材５０とを備える。
【００１８】
第一本体部１０は、先端円筒部１１、第一把持部１２、空間壁部１３、第一離脱防止突起１４、第一螺合部１５、傾斜面１６を備える。先端円筒部１１は、最も先端側に位置し、挿通孔１０ａを画成する部分である。第一把持部１２は、第一本体部１０に対して第二本体部２０を回転させる際に、使用者の一方の手の指で把持するための部分である。第一把持部１２には、リブや凹凸等の滑り止めが施されている。空間壁部１３は、その径方向内側に後述の空間Ｓが画成される部分である。第一離脱防止突起１４は、第一本体部１０と第二本体部２０との離脱を防止するための突起である。第一螺合部１５は、第二本体部２０の第二螺合部２５と螺合する部分である。傾斜面１６については後述する。
【００１９】
第二本体部２０は、押圧部２１、第二把持部２２、後端開口部２３、第二離脱防止突起２４、第二螺合部２５を備える。押圧部２１は、第一本体部１０に対して第二本体部２０を回転させて、第二本体部２０を縮小方向に移動させる際に、ワッシャ部材５０ひいては弾性部材４０を押圧するための部分である。第二把持部２２は、第一本体部１０に対して第二本体部２０を回転させる際に、使用者の他方の手の指で把持するための部分である。第二把持部２２にも、滑り止めが施されている。
【００２０】
後端開口部２３は、レーザーファイバー６０を後端側から挿入する際に挿入しやすいように、漏斗状に開口している。第二離脱防止突起２４は、第一本体部１０に対して第二本体部２０を伸長方向に一杯まで回転させた場合でも、第一離脱防止突起１４と係合することにより第一本体部１０と第二本体部２０との離脱を防止するためのものである。
【００２１】
第二螺合部２５は、第一本体部１０の第一螺合部１５と螺合している。これにより、第一本体部１０に対して第二本体部２０を所定方向（縮小方向）に回転させると、第二本体部２０が第一本体部１０に近づく方向に相対移動する。また、第一本体部１０に対して第二本体部２０を反対方向（伸長方向）に回転させると、第二本体部２０が第一本体部１０から離れる方向に相対移動する。
【００２２】
螺合部１５、２５を介して第一本体部１０と第二本体部２０とが結合することによって、第一本体部１０と第二本体部２０との間に、弾性部材４０及びワッシャ部材５０が配置される空間Ｓが形成されている。空間Ｓは、挿通孔１０ａ，２０ａの途中に位置している。第一本体部１０のうち空間Ｓに面する部分には、先端側に向かって先細となるように傾斜する傾斜面１６が設けられている。従って、空間Ｓは、その軸方向先端側において、先端に向かって先細となるように傾斜する傾斜部を有する。
【００２３】
ワッシャ部材５０は、例えば樹脂から形成される略円環状の部材である。
【００２４】
弾性部材４０は、後述のように圧縮及び膨張を実現するため、例えばゴムなど伸縮性のある材料で形成される。図４に示すように、弾性部材４０は、略円筒状の円筒部４１と、軸方向先端側が先細となる先細部４２とを有する。弾性部材４０には、軸方向に沿って、レーザーファイバー６０を挿通させるための弾性孔４０ａが形成されている。また、弾性部材４０の後端側には、レーザーファイバー６０を挿入しやすいように漏斗状に開口する後端開口部４３（図２）が設けられている。
【００２５】
レーザーファイバー６０にレーザーファイバー保持具１を取り付ける際には、まず図２に示す移動可能状態において、レーザーファイバー保持具１の後端側（即ち後端開口部２３）からレーザーファイバー６０を挿入する。この状態では、図２に示すように弾性部材４０の弾性孔４０ａが開口しているため、レーザーファイバー６０に対してレーザーファイバー保持具１は軸方向に相対移動することができる。即ち、レーザーファイバー６０上のレーザーファイバー保持具１の位置を調整することが可能である。
【００２６】
レーザーファイバー保持具１の位置が決まると、使用者は、第一把持部１２及び第二把持部２２をそれぞれの手でつまんで、第一本体部１０に対して第二本体部２０を縮小方向に回転させる。すると、第二本体部２０が第一本体部１０に近づく方向に相対移動し、空間Ｓが軸方向に縮小して図３に示す状態となる。このとき、弾性部材４０は、ワッシャ部材５０を介して押圧部２１に押圧されて圧縮される。弾性部材４０の圧縮にともない弾性孔４０ａが縮小して、レーザーファイバー６０と接触して挟み込むことにより、レーザーファイバー６０を相対移動不能に保持する。弾性部材４０は、空間Ｓの縮小によって圧縮されるとき、先細部４２が空間Ｓの傾斜部の先端側に入り込むことによって弾性孔４０ａが縮小するようになっている。なお、弾性部材４０はレーザーファイバー６０を挟み込むことにより（つまり摩擦力により）レーザーファイバー６０を保持するので、上述したゴム等の滑りにくい材料が好適である。
【００２７】
一方、レーザーファイバー６０上のレーザーファイバー保持具１の位置を変えたりレーザーファイバー保持具１を取り外したりしたい場合は、第一本体部１０に対して第二本体部２０を反対方向（伸長方向）に回転させると、空間Ｓが軸方向に拡大して図２に示す状態となる。弾性部材４０の膨張にともない弾性孔４０ａが再び拡大して、レーザーファイバー６０を相対移動させることが可能となる。
【００２８】
図５は、レーザーファイバー保持具１の使用状態を示す。処置手術方法としては、まずＭＲＩ等により対象の椎間板を把握し、ニードル部材７０に対してドリル部材（図示せず）を挿入した状態で、体外から両者を椎間板の髄核８０内に穿刺する。そして、ニードル部材７０を体内に残して、ドリル部材のみを抜き取る。
【００２９】
その後、代わりに、レーザーファイバー保持具１を取り付けたレーザーファイバー６０をニードル部材７０に挿入する。このとき、レーザーファイバー保持具１の先端部がニードル部材７０の把持部７１の後端と当接することにより、位置決めがなされる。この状態で、ニードル部材７０の先端からレーザーファイバー６０の先端部６１が突出する。なお、先端部６１は、レーザーファイバーのクラッドを切除してコアが露出するように加工されている。
【００３０】
ここで、レーザーファイバー保持具１の先端とレーザーファイバー６０の先端との距離Ｌは、上述したレーザーファイバー保持具１の構成を利用して、事前に調整がなされている。このとき、コア部分である先端部６１のみがニードル部材７０の先端から突出するように調整がなされる。
【００３１】
このような状態で、レーザー光の照射が行われ、髄核８０を蒸散させることにより、椎間板ヘルニアの治癒手術が行われる。
【００３２】
＜第二実施形態＞
次に、本考案の第二実施形態によるＰＬＤＤ用レーザーファイバー保持具について図６に基づき説明する。
【００３３】
図６に、第二実施形態によるＰＬＤＤ用レーザーファイバー保持具１０１の外観を示す。レーザーファイバー保持具１０１は、本体部１３０及び弾性部材１４０を備える。本体部１３０は、例えばアルミ等の金属で形成され、概略円筒形状を有し、その内部は空洞となっている。本体部１３０には、レーザーファイバー６０を挿通させるための挿通孔１３０ａが軸方向に形成されている。
【００３４】
弾性部材１４０は、本体部１３０の空洞部内に配置され、所定位置で保持されている。弾性部材１４０は、概略円筒形状を有し、レーザーファイバー６０を挿通させるための挿通孔１４０ａが軸方向に形成されている。また、弾性部材１４０は、後述のように圧縮を可能とするため、例えば樹脂、ゴム等の圧縮性のある材料で形成されている。なお、本体部１３０及び弾性部材１４０は、分り易さのため簡略化された形状で図示されているが、実際にはより複雑な形状であってもよい。
【００３５】
かかる構成において、レーザーファイバー保持具１０１にレーザーファイバー６０を保持させるためには、まず、図６のような状態で、挿通孔１３０ａ及び１４０ａにレーザーファイバー６０を挿通させる。そして、矢印Ａで示すように、本体部１３０の円周面の径方向両側から、ペンチ等で挟んで本体部１３０をつぶす（かしめる）。このとき、本体部１３０の空洞部内に配置された弾性部材１４０もつぶされ（圧縮され）、挿通孔１４０ａが狭められる。挿通孔１４０ａが狭くなることにより、弾性部材１４０はレーザーファイバー６０と接触し、この状態でレーザーファイバー６０を保持する。
【００３６】
このように、樹脂、ゴム等で形成された弾性部材１４０がレーザーファイバー６０と直接接触するため、レーザーファイバー６０を傷つけることが防止される。なお、本実施形態では、本体部１３０は塑性変形を行う金属等で形成されているため、一旦かしめると基本的には復元しない。従って、レーザーファイバー６０に対するレーザーファイバー保持具１０１の位置を再調整することは想定されていないが、その分構造が簡素化されている。
【００３７】
＜第三実施形態＞
次に、本考案の第三実施形態によるＰＬＤＤ用レーザーファイバー保持具について図７に基づき説明する。
【００３８】
図７に、第三実施形態によるＰＬＤＤ用レーザーファイバー保持具２０１の外観を示す。レーザーファイバー保持具２０１は、本体部２３０、弾性部材２４０及びネジ２５０を備える。本体部２３０は、例えば金属又は樹脂で形成され、概略円筒形状を有し、その内部は空洞となっている。本体部２３０には、レーザーファイバー６０を挿通させるための挿通孔２３０ａが軸方向に形成されている。更に、本体部２３０には、ネジ２５０を取り付けるためのネジ穴２３０ｂが形成されており、ネジ穴２３０ｂにはネジ溝が切られている。
【００３９】
弾性部材２４０は、本体部２３０の空洞部内に配置され、所定位置で保持されている。弾性部材２４０は、概略円筒形状を有し、レーザーファイバー６０を挿通させるための挿通孔２４０ａが軸方向に形成されている。また、弾性部材２４０は、後述のように圧縮・膨張を可能とするため、例えばゴム等の伸縮性のある材料で形成されている。なお、本体部２３０及び弾性部材２４０は、分り易さのため簡略化された形状で図示されているが、実際にはより複雑な形状であってもよい。
【００４０】
ネジ２５０は、本体部２３０のネジ穴２３０ｂに取り付けられており、ドライバー等で時計方向に回転させると径方向内側へネジ２５０が進み、反時計方向に回転させると径方向外側へネジ２５０が戻るようになっている。
【００４１】
かかる構成において、レーザーファイバー保持具２０１にレーザーファイバー６０を保持させるためには、まず、図７のような状態で、挿通孔２３０ａ及び２４０ａにレーザーファイバー６０を挿通させる。このとき、ネジ２５０の先端は、弾性部材２４０の円周面に軽く接触する程度の位置にある。そして、ドライバー等でネジ２５０を時計方向に回転させると径方向内側へネジ２５０が進み、ネジ２５０が弾性部材２４０を圧縮していく。そして、挿通孔２４０ａが狭くなることにより、弾性部材２４０はレーザーファイバー６０と接触し、この状態でレーザーファイバー６０を保持する。逆に、ネジ２５０を反時計方向に回転させると径方向外側へネジ２５０が戻り、弾性部材２４０が再び膨張する。そうすると、挿通孔２４０ａが広がり、レーザーファイバー６０に対してレーザーファイバー保持具２０１が再び移動可能となる。
【００４２】
本実施形態においても、ゴム等で形成された弾性部材２４０がレーザーファイバー６０と直接接触するため、レーザーファイバー６０を傷つけることが防止される。また、ネジ２５０を用いて弾性部材２４０を圧縮するため、ネジを反対方向に回すことにより弾性部材２４０を再び膨張させて、レーザーファイバー６０に対するレーザーファイバー保持具２０１の位置を再調整することが可能である。
【００４３】
＜第四実施形態＞
次に、本考案の第四実施形態によるＰＬＤＤ用レーザーファイバー保持具について図８に基づき説明する。
【００４４】
図８に、第四実施形態によるＰＬＤＤ用レーザーファイバー保持具３０１の外観を示す。レーザーファイバー保持具３０１は、本体部３３０、弾性部材３４０及びクリップバンド３５０を備える。本体部３３０は、例えば弾性変形を行う樹脂で形成され、概略円筒形状を有し、その内部は空洞となっている。本体部３３０には、レーザーファイバー６０を挿通させるための挿通孔３３０ａが軸方向に形成されている。
【００４５】
弾性部材３４０は、本体部３３０の空洞部内に配置され、所定位置で保持されている。弾性部材３４０は、概略円筒形状を有し、レーザーファイバー６０を挿通させるための挿通孔３４０ａが軸方向に形成されている。また、弾性部材３４０は、後述のように圧縮・膨張を可能とするため、例えばゴム等の伸縮性のある材料で形成されている。なお、本体部３３０及び弾性部材３４０は、分り易さのため簡略化された形状で図示されているが、実際にはより複雑な形状であってもよい。
【００４６】
クリップバンド３５０は、形状としては、例えばガス管を栓に固定するために使用されるガスバンドと同様の形状を有する。クリップバンド３５０は、一対のつまみ部３５１及びリング部３５２を有し、リング部３５２は、弾性のある金属等で形成される。一対のつまみ部３５１を指で挟み込むとリング部３５２の内径が拡大するようになっている。
【００４７】
かかる構成において、レーザーファイバー保持具３０１にレーザーファイバー６０を保持させるためには、まず、クリップバンド３５０が装着されていない状態で、挿通孔３３０ａ及び３４０ａにレーザーファイバー６０を挿通させる。レーザーファイバー６０に対してレーザーファイバー保持具３０１を位置決めし、クリップバンド３５０のリング部３５２の内径を拡大させた状態で、クリップバンド３５０を本体部３３０の外周に装着し、つまみ部３５１から指を離す。すると、拡大していたリング部３５２の内径が元に戻り、リング部３５２の弾性によって本体部３３０ひいては弾性部材３４０が圧縮される。挿通孔３４０ａが狭くなることにより、弾性部材３４０はレーザーファイバー６０と接触し、この状態でレーザーファイバー６０を保持する。逆に、一対のつまみ部３５１を挟み込んでリング部３５２の内径を拡大させると、弾性部材３４０及び本体部３３０が再び膨張する。そうすると、挿通孔３４０ａが広がり、レーザーファイバー６０に対してレーザーファイバー保持具３０１が再び移動可能となる。
【００４８】
本実施形態においても、ゴム等で形成された弾性部材３４０がレーザーファイバー６０と直接接触するため、レーザーファイバー６０を傷つけることが防止される。また、クリップバンド３５０を用いて弾性部材３４０を圧縮するため、クリップバンド３５０のリング部３５２の内径を拡大させることにより弾性部材３４０を再び膨張させて、レーザーファイバー６０に対するレーザーファイバー保持具３０１の位置を再調整することが可能である。なお、レーザーファイバー６０に対するレーザーファイバー保持具３０１の位置を再調整する必要がなければ、本体部３３０は、塑性変形を行う金属等で形成されていてもよい。
【００４９】
本考案によるＰＬＤＤ用レーザーファイバー保持具は上述した実施形態に限定されず、請求の範囲に記載した範囲で種々の変形や改良が可能である。
【符号の説明】
【００５０】
１  レーザーファイバー保持具、１０  第一本体部、１０ａ  挿通孔、
１１  先端円筒部、１２  第一把持部、１３  空間壁部、１４  第一離脱防止突起、
１５  第一螺合部、１６  傾斜面、２０  第二本体部、２０ａ  挿通孔、
２１  押圧部、２２  第二把持部、２３  後端開口部、２４  第二離脱防止突起、
２５  第二螺合部、３０  本体部、４０  弾性部材、４０ａ  弾性孔、４１  円筒部、
４２  先細部、４３  後端開口部、５０  ワッシャ部材、６０  レーザーファイバー、
６１  先端部、７０  ニードル部材、７１  把持部、８０  髄核、
１０１，２０１，３０１  レーザーファイバー保持具、１３０，２３０，３３０  本体部、
１３０ａ，２３０ａ，３３０ａ  挿通孔、１４０，２４０，３４０  弾性部材、
１４０ａ，２４０ａ，３４０ａ  挿通孔、２３０ｂ  ネジ穴、２５０  ネジ、
３５０  クリップバンド、３５１  つまみ部、３５２  リング部。
【図１】
0003180073.tif 000003
【図２】
0003180073.tif 000004
【図３】
0003180073.tif 000005
【図４】
0003180073.tif 000006
【図５】
0003180073.tif 000007
【図６】
0003180073.tif 000008
【図７】
0003180073.tif 000009
【図８】
0003180073.tif 000010